(57)【要約】【課題】配管構造を簡略化することができるとともに、送風機の作動に起因した騒音や振動を低減することができる。【解決手段】空調システム１０は、小屋裏１７に設けられた空調室２０と、空調室２０内に設置された空調機２１と、空調室２０の外部の空気である外部空気（外気ＯＡ、室内空気ＲＡ）を空調室２０内に導入する外部空気導入手段３０と、空調機２１により調整された調整空気ＣＡと外部空気導入手段３０により導入された外部空気とが混合された混合空気ＭＡを空調室２０から複数の居室１１〜１５に供給する混合空気供給手段５０とを備えている。混合空気供給手段５０は、空調室２０から延びる上流側給気ダクト５１、上流側給気ダクト５１の下流側において分岐して延びる複数の下流側給気ダクト５２〜５４、及び複数の下流側給気ダクト５２〜５４にそれぞれ設けられた複数の送風機５６〜５８を備えている。【選択図】図１
2018031484.tif 000002
【特許請求の範囲】
【請求項１】
住宅内の非居住空間に設けられた空調室と、
前記空調室内に設置された空調機と、
前記空調室の外部の空気である外部空気を前記空調室内に導入する外部空気導入手段と、
前記空調機により調整された調整空気と前記外部空気導入手段により導入された外部空気とが混合された混合空気を前記空調室から複数の部屋に供給する混合空気供給手段と、を備える住宅用空調システムにおいて、
前記混合空気供給手段は、
前記空調室から延びる上流側給気ダクトと、
前記上流側給気ダクトの下流側において分岐して延びる複数の下流側給気ダクトと、
前記複数の下流側給気ダクトにそれぞれ設けられた複数の送風機と、を備える、
住宅用空調システム。
【請求項２】
前記上流側給気ダクトと前記複数の下流側給気ダクトとの間には、サージタンクが介設されている、
請求項１に記載の住宅用空調システム。
【請求項３】
前記空調室は、住宅内における床下以外の非居住空間に設けられている、
請求項１または請求項２に記載の住宅用空調システム。
【請求項４】
前記空調室は住宅の小屋裏に設けられており、
前記上流側給気ダクトは前記小屋裏から下方に向けて延在するとともに前記住宅の懐にて前記複数の下流側給気ダクトと接続されている、
請求項３に記載の住宅用空調システム。
【発明の詳細な説明】
【技術分野】
【０００１】
本発明は、住宅用空調システムに関する。
【背景技術】
【０００２】
高気密高断熱住宅においては、空調室に設けられた１台の空調機により複数の居住空間の全ての空調を行う全館空調システムが採用されている（例えば特許文献１参照）。
特許文献１に記載の空調システムでは、空調室と複数の居住空間とが複数の給気ダクトによりそれぞれ接続されている。各給気ダクトの上流側端部には、送風機が設けられている。そして、送風機が作動することで、空調機により調整された空気（以下、調整空気）が各給気ダクトを通じて各居住空間に供給される。
【先行技術文献】
【特許文献】
【０００３】
【特許文献１】特開２０１６−９０１５１号公報
【発明の概要】
【発明が解決しようとする課題】
【０００４】
ところで、特許文献１に記載の空調システムでは、空調室と複数の居住空間とが互いに独立した複数の給気ダクトによりそれぞれ接続されているため、空調室内に複数のダクトが存在することとなり、配管構造が複雑になるという問題がある。
【０００５】
また、上記空調システムでは、複数の送風機が複数のダクトの上流側端部にそれぞれ設けられており、複数の送風機が空調室内に集中して設置されている。そのため、送風機の作動音や振動の発生源が集中することとなり、送風機の作動に起因した騒音や振動により住宅の快適性を損なうという問題がある。
【０００６】
本発明の目的は、配管構造を簡略化することができるとともに、送風機の作動に起因した騒音や振動を低減することのできる住宅用空調システムを提供することにある。
【課題を解決するための手段】
【０００７】
上記目的を達成するための住宅用空調システムは、住宅内の非居住空間に設けられた空調室と、前記空調室内に設置された空調機と、前記空調室の外部の空気である外部空気を前記空調室内に導入する外部空気導入手段と、前記空調機により調整された調整空気と前記外部空気導入手段により導入された外部空気とが混合された混合空気を前記空調室から複数の部屋に供給する混合空気供給手段と、を備える。前記混合空気供給手段は、前記空調室から延びる上流側給気ダクトと、前記上流側給気ダクトの下流側において分岐して延びる複数の下流側給気ダクトと、前記複数の下流側給気ダクトにそれぞれ設けられた複数の送風機と、を備える。
【０００８】
同構成によれば、空調室内において調整空気と外部空気とが混合されることにより生成された混合空気は、送風機により吸引されることで上流側給気ダクト及び下流側給気ダクトを通じて各部屋に供給される。
【０００９】
ここで、上記構成によれば、混合空気供給手段が上流側給気ダクトとその下流側において分岐して延びる下流側給気ダクトとを備えているため、空調室と複数の部屋とが互いに独立した複数のダクトにより接続される構成に比べて、混合空気供給手段における上流側の部分の配管構造を簡略化することができる。
【００１０】
また、上記構成によれば、複数の送風機が複数の下流側給気ダクトにそれぞれ設けられているため、複数の送風機が空調室内に集中して設置される従来の構成とは異なり、住宅内において送風機を分散して配置することが可能となる。このため、送風機の作動音や振動の発生源を分散させることができる。したがって、送風機の作動に起因した騒音や振動を低減することができる。
【００１１】
したがって、配管構造を簡略化することができるとともに、送風機の作動に起因した騒音や振動を低減することができる。
上記住宅用空調システムにおいて、前記上流側給気ダクトと前記複数の下流側給気ダクトとの間には、サージタンクが介設されていることが好ましい。
【００１２】
上流側給気ダクトの下流側端部から複数の下流側給気ダクトが分岐して延びる構成においては、一部の送風機の作動が停止されると、作動中の送風機が設けられた下流側給気ダクトに混合空気が集中して吸引されることとなり、下流側給気ダクトの内部を混合空気が円滑に流れなくなるおそれがある。
【００１３】
この点、上記構成によれば、上流側給気ダクトと複数の下流側給気ダクトとの間にサージタンクが介設されているため、混合空気がサージタンクに一時的に溜められることとなる。これにより、一部の送風機の作動が停止された場合であっても、作動中の送風機が設けられた下流側給気ダクトに混合空気が集中して吸引されることが抑制される。したがって、混合空気を円滑に流すことができる。
【００１４】
上記住宅用空調システムにおいて、前記空調室は、前記住宅内における床下以外の非居住空間に設けられていることが好ましい。
例えば空調室を床下に設けた場合には、外部空気として床下の空気が空調室内に導入され、そうした外部空気と調整空気とが混合された混合空気が各部屋に供給される。床下の空気は、住宅の基礎を形成するコンクリートに染み込んだ不快な臭いを発する。そのため、不快な臭いを発する混合空気が各部屋に供給されることとなり、住宅の快適性が損なわれるおそれがある。
【００１５】
この点、上記構成によれば、空調室が、住宅内における床下以外の非居住空間に設けられるため、上述したような床下の空気が空調室内に導入されることがなく、不快な臭いを発する混合空気が各部屋に供給されることがない。
【００１６】
上記住宅用空調システムにおいて、前記空調室は住宅の小屋裏に設けられており、前記上流側給気ダクトは前記小屋裏から下方に向けて延在するとともに前記住宅の懐にて前記複数の下流側給気ダクトと接続されていることが好ましい。
【００１７】
同構成によれば、空調室内の混合空気は送風機により吸引されることで上流側給気ダクトを通じて下方に向けて流れる。このとき、混合空気は自身に作用する重力に従って流れることから、送風機の負荷を低減することができる。したがって、送風機の消費電力を低減することができる。
【発明の効果】
【００１８】
本発明によれば、配管構造を簡略化することができるとともに、送風機の作動に起因した騒音や振動を低減することができる。
【図面の簡単な説明】
【００１９】
【図１】住宅用空調システムの一実施形態について、同空調システムが適用された住宅の断面図。
【図２】同実施形態の一階の居室に混合空気を供給する混合空気供給手段を示す斜視図。
【図３】同実施形態の二階の居室に混合空気を供給する混合空気供給手段を示す斜視図。
【発明を実施するための形態】
【００２０】
以下、図１〜図３を参照して、一実施形態について説明する。
図１に示すように、本実施形態の空調システム１０が適用される住宅は、高気密高断熱の二階建て住宅である。住宅の一階には、居住空間としての３つの居室１１〜１３が設けられている。また、住宅の二階には、居住空間としての２つの居室１４，１５が設けられている。
【００２１】
一階の床と、コンクリートにより形成された住宅の基礎との間には、非居住空間としての床下１６が設けられている。
二階の天井と屋根との間には、非居住空間としての小屋裏１７が設けられている。
【００２２】
一階の天井と二階の床との間には、非居住空間としての懐１８が設けられている。
二階の一方（この場合、同図の右方）の居室１４と小屋裏１７との間には、同居室１４と小屋裏１７とを連通する連通空間１９が設けられている。
【００２３】
小屋裏１７には、空調室２０が設けられている。
空調室２０の一方（この場合、同図の左方）の壁には、空調機２１の室内機２２が設置されている。また、住宅の外部には、室外機が設けられており、室外機と室内機２２とは冷媒配管（いずれも図示略）を介して接続されている。室内機２２、冷媒配管、及び室外機などにより空調機２１が構成されている。本実施形態の空調機２１は、冷暖房機能に加え、湿度調節機能を備えた家庭用に市販されているものである。
【００２４】
小屋裏１７には、住宅の外部と空調室２０の内部とを連通する導入ダクト３１が設けられている。導入ダクト３１の上流側端部は、住宅の外壁の上部を貫通しており、同外壁に取り付けられた導入フード３２に接続されている。導入ダクト３１の下流側端部は、空調室２０の上記一方の壁を貫通しており、同壁に取り付けられた導入口３３に接続されている。本実施形態では、導入口３３が室内機２２よりも上方に設けられている。導入フード３２、導入ダクト３１、及び導入口３３を通じて空調室２０内に住宅の外部の空気（以下、外気ＯＡ）が導入される。
【００２５】
空調室２０の上記一方の壁とは反対側（同図の右側）の壁の上部には、貫通孔（図示略）が形成されており、同貫通孔には、連通空間１９を通じて室内空気ＲＡを空調室２０内に導入する導入ファン３４が取り付けられている。
【００２６】
本実施形態では、導入ダクト３１、導入フード３２、及び導入口３３、並びに導入ファン３４により、外気ＯＡ及び室内空気ＲＡ、すなわち空調室２０の外部の空気である外部空気を空調室２０内に導入する外部空気導入手段３０が構成されている。
【００２７】
空調室２０には、空調室２０の内部空間を上下に隔てる通気性の抵抗板２３が設けられている。抵抗板２３は、導入口３３、室内機２２、及び導入ファン３４よりも下方に設けられている。本実施形態では、格子状の抵抗板２３が採用されている。
【００２８】
空調室２０内においては、空調機２１により設定された温度及び湿度となるように調整された調整空気ＣＡと、外気ＯＡ及び室内空気ＲＡとが混合される。
空調室２０と各居室１１〜１５との間には、空調室２０内において調整空気ＣＡと、外気ＯＡ及び室内空気ＲＡとが混合された混合空気ＭＡを、各居室１１〜１５に供給する混合空気供給手段５０，６０が設けられている。
【００２９】
まず、空調室２０内の混合空気ＭＡを一階の居室１１〜１３に供給する混合空気供給手段５０について説明する。
図１及び図２に示すように、混合空気供給手段５０は、空調室２０から延びる上流側給気ダクト５１と、懐１８に設けられ、上流側給気ダクト５１の下流側端部が接続された箱形の給気サージタンク５５と、給気サージタンク５５から分岐して延びる３つの下流側給気ダクト５２〜５４とを備えている。なお、一階の居室数は３つに限られない。したがって、一階の居室数に応じて下流側給気ダクトの数を適宜変更することができる。各下流側給気ダクト５２〜５４の上流側端部には、送風機５６〜５８が設けられている。
【００３０】
上流側給気ダクト５１の上流側端部は、空調室２０の一方（図１の左方）の壁における抵抗板２３よりも下部を貫通して同壁に取り付けられた吸入口５１ａに接続されている。上流側給気ダクト５１は、小屋裏１７から、二階の非居住空間を通って下方に向けて延在している。上流側給気ダクト５１の下流側端部は、給気サージタンク５５に接続されている。
【００３１】
各下流側給気ダクト５２〜５４の上流側端部は、給気サージタンク５５の互いに異なる側面に接続されている。各下流側給気ダクト５２〜５４の下流側端部は、一階の各居室１１〜１３の天井を貫通して同天井に取り付けられた各給気口５２ａ〜５４ａに接続されている。
【００３２】
図２に示すように、本実施形態では、給気サージタンク５５の内部に送風機５６〜５８を収容したが、給気サージタンク５５の外部に送風機５６〜５８を取り付けるようにしてもよい。
【００３３】
次に、空調室２０内の混合空気ＭＡを二階の居室１４，１５に供給する混合空気供給手段６０について説明する。
図１及び図３に示すように、混合空気供給手段６０は、空調室２０から延びる上流側給気ダクト６１と、懐１８に設けられ、上流側給気ダクト６１の下流側端部が接続された箱形の給気サージタンク６４と、給気サージタンク６４から分岐して延びる２つの下流側給気ダクト６２，６３とを備えている。なお、二階の居室数は２つに限られない。したがって、二階の居室数に応じて下流側給気ダクトの数を適宜変更することができる。各下流側給気ダクト６２，６３の上流側端部には、送風機６５，６６が設けられている。
【００３４】
上流側給気ダクト６１の上流側端部は、空調室２０の一方（図１の左方）の壁における抵抗板２３よりも下部を貫通して同壁に取り付けられた吸入口６１ａに接続されている。上流側給気ダクト６１は、小屋裏１７から、二階の非居住空間を通って下方に向けて延在している。上流側給気ダクト６１の下流側端部は、給気サージタンク６４の上面に接続されている。
【００３５】
各下流側給気ダクト６２，６３の上流側端部は、給気サージタンク６４の互いに対抗する側面に接続されている。各下流側給気ダクト６２，６３の下流側端部は、懐１８内において互いに異なる方向であって、二階の居室１４，１５の床を貫通して設けられた給気口６７，６８をそれぞれ指向している。
【００３６】
次に、各居室１１〜１５の室内空気ＲＡを住宅の外部に排出する室内空気排出手段４０について説明する。
図１に示すように、一階の居室１１〜１３の床には、居室１１〜１３と床下１６とを連通する連通口１１ａ〜１３ａがそれぞれ設けられている。
【００３７】
床下１６と小屋裏１７との間には、上流側排気ダクト４１が一階の非居住空間、懐１８、及び二階の非居住空間を貫通して設けられている。上流側排気ダクト４１の上流側端部には、床下１６において開口する取入口４１ａが設けられている。
【００３８】
小屋裏１７には、二階の居室１４，１５にそれぞれ対応する上流側排気ダクト４２，４３が設けられている。上流側排気ダクト４２，４３の上流側端部は、居室１４，１５の天井を貫通して同天井に取り付けられた取入口４２ａ，４３ａに接続されている。
【００３９】
床下１６から延在する上記上流側排気ダクト４１の下流側端部は、一方の居室１４の天井から延在する上流側排気ダクト４２の途中部分に接続されている。
上流側排気ダクト４２，４３の下流側には、これら排気ダクト４２，４３に共通の下流側排気ダクト４４が設けられている。下流側排気ダクト４４の下流側端部は、住宅の外壁の上部を貫通して同外壁に取り付けられた排出フード４６に接続されている。上流側排気ダクト４２，４３の下流側端部と下流側排気ダクト４４の上流側端部との間には、排気サージタンク４５が設けられている。
【００４０】
小屋裏１７には、下流側排気ダクト４４を通じて排出される空気と、前述した導入ダクト３１を通じて導入される外気ＯＡとの間で熱交換をするための熱交換器３５が設けられている。
【００４１】
次に、本実施形態の作用について説明する。
空調機２１、導入ファン３４、及び送風機５６〜５８，６５，６６が作動されると、外気ＯＡが導入ダクト３１を通じて空調室２０内に導入されるとともに、室内空気ＲＡが導入ファン３４を通じて空調室２０内に導入される。
【００４２】
調整空気ＣＡと外部空気（外気ＯＡ、室内空気ＲＡ）とが混合された混合空気ＭＡは、送風機５６〜５８により吸引されることで上流側給気ダクト５１、給気サージタンク５５、及び下流側給気ダクト５２〜５４を通じて一階の居室１１〜１３に供給される。また、混合空気ＭＡは、送風機６５，６６により吸引されることで上流側給気ダクト６１、給気サージタンク６４、及び下流側給気ダクト６２，６３、懐１８、及び給気口６７，６８を通じて二階の居室１４，１５に供給される。
【００４３】
一方、一階の居室１１〜１３の室内空気ＲＡは、連通口１１ａ〜１３ａ、床下１６、及び取入口４１ａを通じて上流側排気ダクト４１に流入する。また、二階の居室１４，１５の室内空気ＲＡは、取入口４２ａ，４３ａを通じて上流側排気ダクト４２，４３に流入する。
【００４４】
上流側排気ダクト４１〜４３内を流れる室内空気ＲＡ、すなわち排気ＥＡは、排気サージタンク４５及び下流側排気ダクト４４を通じて熱交換器３５を通過する際に、外気ＯＡとの間で熱交換をする。すなわち、排気ＥＡの温度が外気ＯＡの温度よりも高い場合には、排気ＥＡにより外気ＯＡが加熱される。また、排気ＥＡの温度が外気ＯＡの温度よりも低い場合には、排気ＥＡにより外気ＯＡが冷却される。そして、熱交換器３５を通過した後の排気ＥＡは、下流側排気ダクト４４及び排出フード４６を通じて住宅の外部に排出される。
【００４５】
ここで、本実施形態によれば、混合空気供給手段５０が上流側給気ダクト５１とその下流側において分岐して延びる下流側給気ダクト５２〜５４とを備えている。また、混合空気供給手段６０が上流側給気ダクト６１とその下流側において分岐して延びる下流側給気ダクト６２，６３とを備えている。このため、空調室２０と複数の居室１１〜１５とが互いに独立した複数のダクトにより接続される構成に比べて、混合空気供給手段５０，６０における上流側の部分の配管構造をそれぞれ簡略化することができる。
【００４６】
また、各送風機５６〜５８が各下流側給気ダクト５２〜５４に設けられており、各送風機６５，６６が各下流側給気ダクト６２，６３に設けられている。このため、複数の送風機が空調室２０内に集中して設置される従来の構成とは異なり、住宅内において送風機５６〜５８，６５，６６を分散して配置することが可能となる。このため、送風機５６〜５８，６５，６６の作動音や振動の発生源を分散させることができる。したがって、送風機５６〜５８，６５，６６の作動に起因した騒音や振動を低減することができる。
【００４７】
ところで、上流側給気ダクトの下流側端部から複数の下流側給気ダクトが分岐して延びる構成においては、一部の送風機の作動が停止されると、作動中の送風機が設けられた下流側給気ダクトに混合空気ＭＡが集中して吸引されることとなり、下流側給気ダクトの内部を混合空気ＭＡが円滑に流れなくなるおそれがある。その結果、送風機の負荷が増大し、消費電力の増大を招くおそれがある。
【００４８】
この点、本実施形態によれば、上流側給気ダクト５１と各下流側給気ダクト５２〜５４との間に給気サージタンク５５が介設されている。また、上流側給気ダクト６１と各下流側給気ダクト６２，６３との間に給気サージタンク６４が介設されている。このため、混合空気ＭＡが給気サージタンク５５（６４）に一時的に溜められることとなる。これにより、一部の送風機５６〜５８（６４，６５）の作動が停止された場合であっても、作動中の送風機５６〜５８（６４，６５）が設けられた下流側給気ダクト５２〜５４（６２，６３）に混合空気ＭＡが集中して吸引されることが抑制される。
【００４９】
以上説明した本実施形態に係る住宅用空調システムによれば、以下に示す効果が得られるようになる。
（１）混合空気供給手段５０（６０）は、空調室２０から延びる上流側給気ダクト５１（６１）、上流側給気ダクト５１（６１）の下流側において分岐して延びる複数の下流側給気ダクト５２〜５４（６２，６３）、及び複数の下流側給気ダクト５２〜５４（６２，６３）にそれぞれ設けられた複数の送風機５６〜５８（６５，６６）を備えている。
【００５０】
こうした構成によれば、上記作用を奏することから、配管構造を簡略化することができるとともに、送風機の作動に起因した騒音や振動を低減することができる。
（２）上流側給気ダクト５１（６１）と複数の下流側給気ダクト５２〜５４（６２，６３）との間には、給気サージタンク５５（６４）が介設されている。
【００５１】
こうした構成によれば、上記作用を奏することから、混合空気ＭＡを円滑に流すことができ、送風機５６〜５８（６５，６６）の負荷を抑制して消費電力の増大を抑制することができる。
【００５２】
（３）空調室２０が住宅の小屋裏１７に設けられている。
例えば空調室を床下１６に設けた場合には、外部空気として床下の空気が空調室内に導入され、そうした外部空気と調整空気ＣＡとが混合された混合空気ＭＡが各居室１１〜１５に供給される。床下１６の空気は、住宅の基礎を形成するコンクリートに染み込んだ不快な臭いを発するため、不快な臭いを発する混合空気ＭＡが各居室１１〜１５に供給されることとなり、住宅の快適性が損なわれるおそれがある。
【００５３】
これに対して、上記構成によれば、空調室２０が、住宅の小屋裏１７に設けられているため、上述したような床下１６の空気が空調室２０内に導入されることがなく、不快な臭いを発する混合空気ＭＡが各居室１１〜１５に供給されることがない。
【００５４】
（４）上流側給気ダクト５１（６１）は小屋裏１７から下方に向けて延在するとともに住宅の懐１８にて複数の下流側給気ダクト５２〜５４（６２，６３）と接続されている。
こうした構成によれば、空調室２０内の混合空気ＭＡは送風機５６〜５８（６５，６６）により吸引されることで上流側給気ダクト５１（６１）を通じて下方に向けて流れる。このとき、混合空気ＭＡは自身に作用する重力に従って流れることから、送風機５６〜５８（６５，６６）の負荷を低減することができる。したがって、送風機５６〜５８（６５，６６）の消費電力を低減することができる。
【００５５】
（５）空調室２０内には、導入口３３、空調機２１の室内機２２、及び導入ファン３４と、上流側給気ダクト５１，６１の吸入口５１ａ，６１ａとの間を、通気可能に仕切る抵抗板２３が設けられている。このため、空調室２０内に導入された外気ＯＡ及び室内空気ＲＡと、調整空気ＣＡとを十分に混合させることができる。したがって、調整空気ＣＡがそのまま吸入口５１ａ，６１ａを通じて上流側給気ダクト５１，６１に吸入されることを抑制することができ、各居室１１〜１５に供給される空気に温度などのむらが生じることを抑制することができる。
【００５６】
＜変形例＞
なお、上記実施形態は、例えば以下のように変更することもできる。
・抵抗板２３の形状は格子状に限定されない。例えば、多数の円孔を有する抵抗板であってもよい。
【００５７】
・空調室２０の設置場所は小屋裏１７に限定されない。空調室２０の設置場所としては、例えば、懐１８や、１階または２階の非居住空間（例えば階段下の空間）などの床下１６以外の非居住空間が好ましい。
【００５８】
・送風機５６〜５８を下流側給気ダクト５２〜５４の下流側端部に設けることもできる。また、送風機６５，６６を下流側給気ダクト６２，６３の下流側端部に設けることもできる。
【００５９】
・給気サージタンク５５，６４を省略することもできる。すなわち、上流側給気ダクト５１の下流側端部に複数の下流側給気ダクト５２〜５４を直接接続するようにしてもよい。また、上流側給気ダクト６１の下流側端部に複数の下流側給気ダクト６２，６３を直接接続するようにしてもよい。
【００６０】
・上記実施形態及び変形例では、二階建て住宅に対して本発明を適用したものについて例示したが、一階建て住宅や三階建て住宅に対して本発明を適用することもできる。
【符号の説明】
【００６１】
１０…空調システム、１１〜１５…居室（部屋）、１１ａ〜１３ａ…連通口、１６…床下、１７…小屋裏、１８…懐、１９…連通空間、２０…空調室、２１…空調機、２２…室内機、２３…抵抗板、３０…外部空気導入手段、３１…導入ダクト、３２…導入フード、３３…導入口、３４…導入ファン、３５…熱交換器、４０…室内空気排出手段、４１〜４３…上流側排気ダクト、４１ａ〜４３ａ…取入口、４４…排気サージタンク、４５…下流側排気ダクト、４６…排出フード、５０…混合空気供給手段、５１…上流側給気ダクト、５１ａ…吸入口、５２〜５４…下流側給気ダクト、５２ａ〜５４ａ…給気口、５５…給気サージタンク、５６〜５８…送風機、６０…混合空気供給手段、６１…上流側給気ダクト、６１ａ…吸入口、６２，６３…下流側給気ダクト、６４…給気サージタンク、６５，６６…送風機、６７，６８…給気口、ＣＡ…調整空気、ＥＡ…排気、ＭＡ…混合空気、ＯＡ…外気、ＲＡ…室内空気。
【図１】
2018031484.tif 000003
【図２】
2018031484.tif 000004
【図３】
2018031484.tif 000005
【手続補正書】
【提出日】平成29年11月1日(2017.11.1)
【手続補正１】
【補正対象書類名】特許請求の範囲
【補正対象項目名】請求項１
【補正方法】変更
【補正の内容】
【請求項１】
住宅内の非居住空間に設けられた空調室と、
前記空調室内に設置された空調機と、
前記空調室の外部の空気である外部空気を前記空調室内に導入する外部空気導入手段と、
前記空調機により調整された調整空気と前記外部空気導入手段により導入された外部空気とが混合された混合空気を前記空調室から複数の部屋に供給する混合空気供給手段と、を備える住宅用空調システムにおいて、
前記混合空気供給手段は、
前記空調室から、前記非居住空間とは別の他の非居住空間まで延びる上流側給気ダクトと、
前記他の非居住空間において前記上流側給気ダクトに接続されるとともに前記複数の部屋まで延びる複数の下流側給気ダクトと、
前記複数の下流側給気ダクトにそれぞれ設けられた複数の送風機と、を備える、
住宅用空調システム。
【手続補正２】
【補正対象書類名】明細書
【補正対象項目名】０００７
【補正方法】変更
【補正の内容】
【０００７】
上記目的を達成するための住宅用空調システムは、住宅内の非居住空間に設けられた空調室と、前記空調室内に設置された空調機と、前記空調室の外部の空気である外部空気を前記空調室内に導入する外部空気導入手段と、前記空調機により調整された調整空気と前記外部空気導入手段により導入された外部空気とが混合された混合空気を前記空調室から複数の部屋に供給する混合空気供給手段と、を備える。前記混合空気供給手段は、前記空調室から、前記非居住空間とは別の他の非居住空間まで延びる上流側給気ダクトと、前記他の非居住空間において前記上流側給気ダクトに接続されるとともに前記複数の部屋まで延びる複数の下流側給気ダクトと、前記複数の下流側給気ダクトにそれぞれ設けられた複数の送風機と、を備える。